(57)【要約】【課題】足のサイズにかかわらず足を固定でき、かつ出っ張りの少ない足固定具を有するフットレストの提供を第１の課題とし、フットレストの位置の調整や移動が容易にできるフットレスト用具の提供を第２の課題とし、フットレストに接続してマッサージ具として使用する用具の提供を第３の課題とする。【解決手段】一文字の切り込み又は孔を設けた柔軟性を有するシート体を、該シート体と足載せ部との間に足を挿入可能に足載せ部に取り付けた。また、フットレストに接続して使用するベルトを、腰に装着したベルトとフットレストへの取り付けのための接続ベルトによって構成した。さらには、フットレストに取付けて使用する被服において、腰および肩に当たるように配した帯体を有するとともに該帯体が接続ベルトによってフットレストに繋げられる構成とした。【選択図】図６
2008154711.tif 000002
【特許請求の範囲】
【請求項１】
足固定手段を有するフットレストであって、該足固定手段が、柔軟性のある素材からなるシート体であって足の差込口を設けたシート体を、足載せ部に取り付けてなることを特徴とするフットレスト。
【請求項２】
フットレストに取付けて使用するベルトであって、該ベルトが、腰への巻着手段を有する腰部ベルトと、該腰部ベルトの腰の両側部位置または腰前部の左右位置に、着脱可能に取り付けられた第１の接続ベルトおよび第２の接続ベルトとからなることを特徴とするフットレスト用ベルト。
【請求項３】
前記腰部ベルトまたは前記接続ベルトの少なくともいずれか一方においてベルトの長さが調節自在に形成されていることを特徴とする請求項２に記載のフットレスト用ベルト。
【請求項４】
腰部ベルトの少なくとも一部に小突起物群を設けたことを特徴とする請求項２または請求項３のいずれかに記載のフットレスト用ベルト。
【請求項５】
請求項２ないし請求項４のいずれかに記載のフットレスト用ベルトを取り付けた請求項１に記載のフットレスト。
【請求項６】
フットレストに接続して使用する被服であって、被服の内側に帯体を有し、
該帯体は、腰の両側部付近を両端として腰の背部を通して配されるとともに両端に接続部材の取付具を有する腰部帯体と、
両肩の周囲に各々配される肩部帯体と、
該肩部帯体と前記腰部帯体とを連結する帯体とからなることを特徴とする被服。
【請求項７】
他の器具や用具に接続するための接続部材取付具を、相対する位置の２つを一組として二組以上設けたことを特徴とするフットレスト。
【請求項８】
他の器具や用具に接続するための接続部材取付具を、相対する位置の２つを一組として二組以上設けたことを特徴とする請求項１または請求項５のいずれかに記載のフットレスト。
【請求項９】
側面の少なくともひとつに足を乗せる広さを有するバッグによってフットレスト本体を形成したことを特徴とする請求項１または請求項５若しくは請求項７ないし請求項８のいずれかに記載のフットレスト。
【発明の詳細な説明】
【技術分野】
【０００１】
本発明は、フットレストに関し、さらに詳しくは足固定手段を有するフットレストおよび、フットレストに接続して使用するベルトや被服に関する。
【背景技術】
【０００２】
航空機、鉄道、自動車等の乗り物や劇場などの座席において、前方との間隔が狭くて窮屈な姿勢を強いられた場合、足に疲労感を覚えたり、靴を履いたまま長時間着席状態にあると血液の流れが悪いため足がむくんでくることがある。
また、一定の姿勢のまま長時間下肢を動かさずに席に座っていると、大腿の奥にある静脈に地のかたまり（深部静脈血栓症）ができることがあり、歩いている間にその血栓の一部が血流に乗って肺にとび、肺の血管を閉塞してしまうことがある。これは、「エコノミークラス症候群（ロングフライト血栓症）」として一般にも知られており、重症の場合には命を落としてしまうこともある。
【０００３】
この、エコノミークラス症候群の予防のひとつとして、座席に座った姿勢で足のかかとやつま先を上下させたり、足の指を動かすなどの運動や、歩き回ったりして定期的に体を動かすことが推奨されてる。
また。長時間の着席状態においては、身体を支える必要から腰への負担も少なくなく、緊張状態が持続することから肩こりにもなりやすい。このため、腰や肩へのマッサージなども効果的である。
【０００４】
最近では、座席にフットレストが装備されていたり、座席の前方に足を乗せることができる足台が設けられてきてはいるがごく少数であり、依然として何の対応もなされていないことのほうが多い。その様な場合に便利なものとして、乗り物や劇場にに持ち込んで使用できるフットレストが販売されており、空気を注入することで台状に形成されるフットレストや、座席前方のランチテーブルに吊るして使用するフットレストがある。しかし、これらのフットレストの場合はそれを持ち込む必要があり、忘れた場合は使用できない。また、前方のランチテーブルに吊るして使用するフットレストでは、ランチテーブルの位置が固定であることから、そのフットレスト使用者に適した位置に足載せ部が配置されるとは限らない。
【０００５】
一方、腰や肩へのマッサージのための道具としては、振動を発生させるバイブレーターや肩たたきなどがあるが、電気が必要で持ち運びには不便であったり、音が発生したりするため、乗り物内や劇場内での使用には適さない。
【０００６】
エコノミークラス症候群の予防に関連する発明・考案としては、太ももの裏側からの静脈の圧迫を除去して下肢部の血液の循環を良好に保つために足を乗せて使用する、足台型機内用バッグがある（特許文献１）。この発明は、通常の機内用バッグに足を乗せることのできる堅い平板とその支持体を設けた構造に特徴がある。
しかし、この発明では、座席に座った姿勢で足のかかとやつま先を上下させたり、足の指を動かすなどの運動をするとバッグ（フットレスト）が動いて足から離れてしまうことがあり、その度にバッグ（フットレスト）の位置を直す必要がある。
【０００７】
フットレストから足が離れないようにする手段として、フットレストに足を固定するための固定具を設けることが考えられる。これに関しては、足固定具を取り付けたフットレストに関する発明（特許文献２）が公知となっている。この発明は、固定の傾斜角をつけたフットレストに足固定具を取り付けた構成のものである。
しかし該文献（特許文献２）に開示されている発明および実施の形態として図面に表されたフットレストによれば、足を載せた後に面ファスナーによって固定しなければならなかったり（図１乃至４）、あるいは足固定具が想定している足のサイズと異なるサイズの足で使用する場合は足の固定が緩くなってしまう（図５乃至７）。また、足固定具が、足を載せる面に出っ張りとして存在しているため、持ち運び時に引っ掛けてしまうなどの問題点がある。
【特許文献１】特開２００２−２６２９２２号公報
【特許文献２】特開２００３−３１２３５２号公報
【発明の開示】
【発明が解決しようとする課題】
【０００８】
解決しようとする課題は、足のサイズにかかわらず足を固定できるとともに出っ張り部分の少ない足固定具を有するフットレストの提供である。また別の課題は、フットレストの位置の移動が容易にできるフットレスト用具の提供である。また別の課題は、フットレストに接続して使用するマッサージ効果を奏する用具の提供である。
【課題を解決するための手段】
【０００９】
請求項１に記載の発明は、足固定手段を有するフットレストであって、該足固定手段が、柔軟性のある素材からなるシート体であって足の挿しこみ口を有するシート体を、シート体と足載せ部の間に足を挿入できる状態に取り付けたことを特徴とするフットレストである。
【００１０】
シート体に設ける足の挿しこみ口は、開口である必要はなく、一文字の切り込みなどでも良い。シート体と足載せ部の間に足を挿入できる状態とは、シート体と足載せ部の間に足の挿しこみ口に連なる未接着部分を設けるなどして、該未接着部分に足の挿しこみ口から足を挿し込むことができる状態を表す。シート体は、足載せ部の一部又は全体を覆うように取付ける。
【００１１】
請求項２に記載の発明は、フットレストに取付けて使用するベルトであって、該ベルトが、腰への巻着手段を有する腰部ベルトと、該腰部ベルトの腰の両側部位置または腰前部の左右位置に着脱可能に取り付けられた第１の接続ベルトおよび第２の接続ベルトとからなることを特徴とするフットレスト用ベルトである。
このフットレスト用ベルトは、腰部ベルトを腰に巻着し、第１および第２の接続ベルトによってフットレストと接続して使用する。
腰とフットレストとの距離が接続ベルトの長さに限定されるので、フットレストに載せた脚を伸ばして突っ張ることで、フットレストに載せた足とフットレストの足載せ部が強く接する。その状体で腰を左右に動かすることでフットレストを移動させる。
【００１２】
請求項３に記載の発明は、請求項２に記載のフットレスト用ベルトにおいて、腰部ベルトまたは接続ベルトの少なくともいずれか一方のベルトの長さが調節自在に形成されていることを特徴とするフットレスト用ベルトである。
腰部ベルトの長さ調節は、巻着する人の腰の周囲長に合わせるためのものである。また、接続ベルトの長さ調節は、フットレストと腰部ベルトの距離を調節するためのものである。
【００１３】
請求項４に記載の発明は、腰部ベルトの少なくとも一部に小突起物群を設けたことを特徴とする請求項２または請求項３のいずれかに記載のフットレスト用ベルトである。
使用方法は、請求項２に記載の発明と同様であるが、小突起物群が腰に当接するように腰部ベルトを腰に巻着する。フットレストに乗せた脚を伸ばすとと、接続ベルトから腰部ベルトに力が伝わって腰部ベルトが足方向に引っ張られ、腰部ベルトに設けた小突起物群が腰に押し付けられる。なお、小突起物群とは、小さな突起形状物が複数あることを指す。
【００１４】
請求項５に記載の発明は、請求項２ないし請求項４のいずれかに記載のフットレスト用ベルトを取り付けた請求項１に記載のフットレストである。
【００１５】
請求項６に記載の発明は、フットレストに接続して使用する被服であって、被服の内側に帯体を有し、該帯体は、腰の両側部付近を両端として腰の背部を通して配されるとともに両端に接続部材の取付具を有する腰部帯体と、両肩の周囲に各々配される肩部帯体と、該肩部帯体と前記腰部帯体とを連結した帯体とからなることを特徴とする被服である。
腰部帯体の両端部の接続部材取付具に、他端をフットレストと接続した接続部材の一端を取り付けて使用する。
フットレストに接続した場合、フットレストと被服の帯体が繋がっていることから、フットレストに載せた脚を曲げ伸ばしすることで、フットレストから接続部材へ、さらに接続部材から該被服の帯体に力が伝わり、該被服に配した腰部帯体および肩部帯体が引っ張られたり開放されたりして、腰や肩に加わる圧力が加減される。
【００１６】
請求項７に記載の発明は、他の器具や用具に接続するための接続部材取付具を、相対する位置の２つを一組として二組以上設けたことを特徴とするフットレストである。接続部材取付具が二組以上あるので、他の器具や用具の取り付け位置を変えることができる。
【００１７】
請求項８に記載の発明は、他の器具や用具に接続するための接続部材取付具を、相対する位置の２つを一組として二組以上設けたことを特徴とする請求項１または請求項５のいずれかに記載のフットレストである。
【００１８】
請求項９に記載の発明は、側面の少なくともひとつに足を乗せる広さを有するバッグによってフットレスト本体を形成したことを特徴とする請求項１または請求項５若しくは請求項７ないし請求項８のいずれかに記載のフットレストである。
【発明の効果】
【００１９】
請求項１に記載の発明によれば、足載せ部とシート体との間に差し込んだ足のほぼ全体をシート体が覆うことになるため、足のサイズに関係なく、足がフットレストに密着固定され、足のかかとやつま先を上下させたり、足の指を動かすなどの運動をしても足からフットレストが離れにくい。また、シート体を足載せ部に取付けた構成であるため作成が容易であり、出っ張りが少なく、持ち運び時にも他の何かに引っ掛けてしまうことがない。また、シート体には柔軟性のある素材を使用するので、足の挿入が容易にできるとともに、足を傷つけることもなく安全である。さらには、シート体が足を覆う構成となるため、保温効果もある。
【００２０】
請求項２に記載の発明のフットレスト用ベルトをフットレストに取付けて使用すると、次のような利点がある。
すなわち、フットレストの位置調整時あるいは位置がずれてしまった場合等に、フットレストに載せている脚を伸ばして足を突っ張ることでフットレストを足に押し当て、腰を適宜方向に回転あるいは動かしてフットレストを元の場所あるいは適切な位置に移動することができ、体を屈めてフットレストを動かす必要がなく楽である。
腰部ベルトを腰に巻着できるため、単に腰にベルトを回した場合よりも、強く固定することができ、フットレストの位置を修正する動作をしても腰から腰部ベルトがはずれない。
また、脚を伸ばしてフットレストを前方に押しやると、腰の周りに掛けたベルトに力がかかり、腰へののマッサージ効果が得られるというメリットもある。
【００２１】
請求項３に記載の発明によれば、腰部ベルトの長さが変えられる場合、腰の周囲長に関係なく腰部ベルトを腰に固定できる。また、接続ベルトの長さが変えられる場合、脚の長短にかかわらず、あるいはまた、椅子に座ったときの姿勢の違いがあっても、フットレストと腰部ベルトとの距離を適宜調節でき、楽な姿勢でのフットレストの使用が可能である。
【００２２】
請求項４に記載の発明によれば、ベルトに有する小突起物群によって、腰へのマッサージ効果が得られる。また、この小突起物群があるために、ベルトの腰への当接部分がズレにくい。
【００２３】
請求項５に記載の発明によれば、持ち運び時には、該ベルトをショルダーベルトとして使用できるという利点がある。
【００２４】
請求項６に記載の被服をフットレストと接続して使用すると、フットレストの位置調整時あるいは位置がずれてしまった場合等に、フットレストに載せている脚を伸ばして足を突っ張ることでフットレストを足に押し当て、腰を適宜方向に回転あるいは動かしてフットレストを元の場所あるいは適切な位置に移動することができ、体を屈めてフットレストを動かす必要がなく楽である。また、フットレストに載せた足の膝を曲げ伸ばしすることで、被服の帯体を引っ張ったり開放したりして、人体の腰部および肩部等に圧力を加えてマッサージ効果を得ることができる。
【００２５】
請求項７および請求項８に記載の発明によれば、接続部材の取付具が複数組あるので、他の器具や用具との接続を別な位置の接続部材取付具に変えることで、接続部材からフットレストにかかる力の位置を調整することができる。これにより、フットレストに載せた足とフットレストとの力のバランスが適切となり、フットレストが不用意に足から滑って動くことを防ぐことができる。
【００２６】
請求項９に記載の発明によれば、バッグをフットレスト本体として利用することから、別体としてのフットレストを持ち運ぶ手間がなく、手荷物を減らすことができるというメリットがある。
【発明を実施するための最良の形態】
【００２７】
以下に、本発明の実施の形態について図を参照して説明するが、本発明の技術的範囲はこの実施形態に限定されるものではない。
【００２８】
図１が、請求項１に記載の発明に係るフットレストの一実施形態である。なお、本実施形態においては、フットレスト本体を、バッグによって構成した(請求項９)。バッグは、特開２００２−２６２９２２に記載のように平板や支持板を設けても良い。
広側面に両足を乗せることが可能な大きさのバッグ１の広側面に、方形の布２の周囲の４辺を縫い付けて留め、切り込み３を入れた。切り込み３から布２とバッグ１の側面との間に足を挿入して使用する（図２参照）。出っ張りを無くすために、布２を足載せ部として使用する面一杯に取付けても良い。あるいは、図３にあるように、布２ａおよび布２ｂの相対する辺が接するように取り付けても良いし、図４に見られるように、布２の適宜位置に足挿入用の孔５を設けても良い。
取り付け方法としては、前述のようにシート体の４辺を縫い付けることのほかに、シート体の周りに面ファスナー（鉤状の突起が一面についた布と、パイル状の面で一組みとなった留め具。）を取り付け、相対する位置に面ファスナーを取り付けたた足載せ部に貼り付けることなどが考えられる。
【００２９】
本願発明に係るフットレスト用ベルトを表すのが図５である。
腰部ベルト１０は、一本のベルトの片端に送り環１５を取り付け、他端にはサイドロック型スライドバックル１４の受け側を取付けた。送り環１５には、図示のようにベルトを折り返して通し、この折り返し部分にサイドロック型スライドバックル１４の挿入側を取り付けた。また、腰部ベルト１０を腰に装着した状態における左右側部位置には、Ｄ環１１ａおよび１１ｂをベルトに沿って移動しないように取付けた。
送り環１５をベルトに沿って移動させることで腰部ベルトの長さを調節し、装着する者の腰の周囲に密着する長さとする。
【００３０】
腰部ベルト１０の背中に位置する部分には、ベルトより幅広の腰当て１２を設けても良い。腰当て１２により、腰部へのベルトの当接がソフトとなる。また、ベルトが滑って当接部分がズレてしまうこてとを防止することにも役立つ。
また、腰部ベルト１０の腰にあたる側に突起１３を適宜個数設けても良い。腰当て１２を設けた場合は、腰当て１２に突起１３を適宜個数設けても良い。
小突起１３は、弾力を有する素材、例えばゴムなどを用い、フットレストに載せた脚を伸ばすことで、フットレストに接続された腰部ベルトが体の前方向に引っ張られ、小突起１３が腰部に押し当てられることとなり、マッサージ効果を奏することとなる。
【００３１】
接続ベルト２０は、ベルトの片端に回転型茄子環２２ｂを取り付け、ベルトの途中を折り返し、この折り返し部分を回転型茄子環２２ａに通し、ベルトの他端はベルト上をスライドするように取り付けた送り環２３に取り付ける。送り環２３をベルトに沿って移動することで、接続ベルト２０の長さを変えることができる。
接続ベルト２０は、本願発明にかかる被服３０とフットレストとの接続にも利用する。
【００３２】
フットレストにフットレスト用ベルトを接続した状態を表したのが図６である。
腰に腰部ベルト１０を装着し、Ｄ環１１ａおよび１１ｂに接続ベルト２０の回転型茄子環２２ａを取り付け、さらに回転型茄子環２３ａをフットレストの接続具４０に取り付ける。
接続ベルト２０は、途中を折り返し、フットレストの取り付け具４０に折り返し部分を通しても良い。この場合、接続ベルト２０の両端の回転型茄子環２２は、腰部ベルト１０のＤ環に取り付ける。
【００３３】
本願発明（請求項６）に係る被服３０を表すのが図７および図８である。図７および図８においては、被服を破線で表示した。また、図８においては、帯体３２を斜線で表した。
幅５センチメートル程度の帯３１からなる腰部帯３２を、被服３０を着服したときに腰の両脇間に背中を通って配されるように被服３０の内側に縫い付ける。腰部帯３２の両端にはＤ環３３を取り付ける。このＤ環３３は、被服３０の適宜位置に切り込み３５を設けて外側に出るようにする。
肩部帯３４は、肩の周囲からわき腹部をとおり腰脇付近で腰部帯３２に縫い付ける。肩部帯３４は、その全体を被服に縫い付けても良いし、一部を被服に縫い付けるとともに、途中に該帯を押さえる布製の小片を取り付けて、被服と該小片の間を通すようにしても良い。
【００３４】
被服３０とフットレストとは、接続ベルト２０を二つ用い、各々の接続ベルト２０において片端の回転型茄子環２２のフックを被服３０のＤ環３３に取り付け、他端の回転型茄子環２２のフックをバッグ１の取り付け具４０に取り付ける。
接続ベルト２０は、途中を折り返し、バッグ１の取り付け具４０に折り返し部分を通しても良い。この場合、接続ベルト２０の両端の回転型茄子環２２は、被服３０のＤ環３３に取り付ける。
【００３５】
取付具４０を複数設けたフットレストの説明図が、図９および図１０である。フットレストの側面に、Ｄ環４１を一端に取付た帯を、Ｄ環４１が足を乗せる台部方向に向けて複数個、位置を変えて取り付けた。図の奥側の側面にも、同様に取付具４０を取り付けた。
図９と図１０は、足のサイズや足を乗せる位置が異なる場合の、取付具４０への接続ベルト２０の接続を示した図でもある。取付具４０が複数あるので、接続ベルト２０の取り付け位置を適宜変えることができる。
なお、接続ベルト２０の他端には、既に述べた腰部ベルト１０や被服３０などを接続して使用する。
【図面の簡単な説明】
【００３６】
【図１】シート体を取付けたフットレストを示した図である。
【図２】本願発明にかかるフットレストの使用方法を示した図である。
【図３】シート体を２つ取り付けた例を表す説明図である。
【図４】足の挿し込み用穴を設けたシート体を取り付けたフットレストを表す説明図である。
【図５】腰部ベルトと接続ベルトからなるフットレスト用ベルトを表す説明図である。
【図６】フットレスト用ベルトをフットレストに接続した使用状態を表す説明図である。
【図７】帯体を配した被服を正面から表した説明図である。
【図８】被服における帯体の状態を表した説明図である。
【図９】足のサイズが大きめの場合における接続具への接続ベルトの取付け状態を表す説明図である。
【図１０】足のサイズが小さめの場合における接続具への接続ベルトの取付け状態を表す説明図である。
【符号の説明】
【００３７】
１    バッグ
２    平面体
３    切り込み
４    足
５    穴
６    接合辺
１０    腰部ベルト
１１ａ  Ｄ環
１１ｂ  Ｄ環
１２    腰当
１３    小突起
１４    サイドロック型スライドバックル
１５    送り環
２０    接続ベルト
２２ａ  回転型茄子環
２２ｂ  回転型茄子環
３０    被服
３１    帯
３２    腰帯体
３３    Ｄ環
３４    肩帯体
４０    取り付け具
４１    Ｄ環
【図１】
2008154711.tif 000003
【図２】
2008154711.tif 000004
【図３】
2008154711.tif 000005
【図４】
2008154711.tif 000006
【図５】
2008154711.tif 000007
【図６】
2008154711.tif 000008
【図７】
2008154711.tif 000009
【図８】
2008154711.tif 000010
【図９】
2008154711.tif 000011
【図１０】
2008154711.tif 000012
【手続補正書】
【提出日】平成20年1月23日(2008.1.23)
【手続補正１】
【補正対象書類名】特許請求の範囲
【補正対象項目名】請求項１
【補正方法】変更
【補正の内容】
【請求項１】
柔軟性のある素材からなるシート体を足固定手段として足載せ部に取付けたフットレストであって、該シート体自体に足差込のための一文字の切り込み又は孔を設けたことを特徴とするフットレスト。
【手続補正２】
【補正対象書類名】明細書
【補正対象項目名】０００９
【補正方法】変更
【補正の内容】
【０００９】
請求項１に記載の発明は、柔軟性のある素材からなるシート体を足固定手段として足載せ部に取付けたフットレストであって、該シート体自体に足差込のための一文字の切り込み又は孔を設けたことを特徴とするフットレストである。
【手続補正３】
【補正対象書類名】明細書
【補正対象項目名】００１０
【補正方法】変更
【補正の内容】
【００１０】
シート体は、その周囲をフットレストに密着するとともに、シート体自体に設けた一文字の切り込み又は孔を差込口としてシート体と足載せ部の間に足を差込可能に取り付ける。シート体は、足載せ部の一部又は全体を覆うように取付ける。
【手続補正４】
【補正対象書類名】明細書
【補正対象項目名】００２０
【補正方法】変更
【補正の内容】
【００２０】
請求項２に記載の発明のフットレスト用ベルトをフットレストに取付けて使用すると、次のような利点がある。
すなわち、フットレストの位置調整時あるいは位置がずれてしまった場合等に、フットレストに載せている脚を伸ばして足を突っ張ることでフットレストを足に押し当て、腰を適宜方向に回転あるいは動かしてフットレストを元の場所あるいは適切な位置に移動することができ、体を屈めてフットレストを動かす必要がなく楽である。
腰部ベルトを腰に巻着できるため、単に腰にベルトを回した場合よりも、強く固定することができ、フットレストの位置を修正する動作をしても腰から腰部ベルトがはずれない。
また、脚を伸ばしてフットレストを前方に押しやると、腰の周りに掛けたベルトに力がかかり、腰へのマッサージ効果が得られるというメリットもある。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
フットレストに取付けて使用するベルトであって、該ベルトが、腰への巻着手段を有する腰部ベルトと、該腰部ベルトの腰の両側部位置または腰前部の左右位置に、着脱可能に取り付けられた第１の接続ベルトおよび第２の接続ベルトとからなることを特徴とするフットレスト用ベルト。
【請求項２】
前記腰部ベルトまたは前記接続ベルトの少なくともいずれか一方においてベルトの長さが調節自在に形成されていることを特徴とする請求項１に記載のフットレスト用ベルト。
【請求項３】
腰部ベルトの少なくとも一部に小突起物群を設けたことを特徴とする請求項１または請求項２のいずれかに記載のフットレスト用ベルト。
【請求項４】
請求項１ないし請求項３のいずれかに記載のフットレスト用ベルトを取り付けるとともに、足差込のための一文字の切り込み又は孔を設けた柔軟性のある素材からなるシート体を足載せ部に取付けたフットレスト。
【請求項５】
フットレストに接続して使用する被服であって、被服の内側に帯体を有し、
該帯体は、腰の両側部付近を両端として腰の背部を通して配されるとともに両端に接続部材の取付具を有する腰部帯体と、
両肩の周囲に各々配される肩部帯体と、
該肩部帯体と前記腰部帯体とを連結する帯体とからなることを特徴とする被服。
【請求項６】
他の器具や用具に接続するための接続部材取付具を、相対する位置の２つを一組として二組以上設けたことを特徴とするフットレスト。
【請求項７】
他の器具や用具に接続するための接続部材取付具を、相対する位置の２つを一組として二組以上設けるとともに、足差込のための一文字の切り込み又は孔を設けた柔軟性のある素材からなるシート体を足載せ部に取付けたフットレスト。
【請求項８】
他の器具や用具に接続するための接続部材取付具を、相対する位置の２つを一組として二組以上設けたことを特徴とする請求項４に記載のフットレスト。
【手続補正２】
【補正対象書類名】明細書
【補正対象項目名】全文
【補正方法】変更
【補正の内容】
【発明の詳細な説明】
【技術分野】
【０００１】
本発明は、フットレストおよびフットレストに接続して使用するベルトや被服に関する。
【背景技術】
【０００２】
航空機、鉄道、自動車等の乗り物や劇場などの座席において、前方との間隔が狭くて窮屈な姿勢を強いられた場合、足に疲労感を覚えたり、靴を履いたまま長時間着席状態にあると血液の流れが悪いため足がむくんでくることがある。
また、一定の姿勢のまま長時間下肢を動かさずに席に座っていると、大腿の奥にある静脈に地のかたまり（深部静脈血栓症）ができることがあり、歩いている間にその血栓の一部が血流に乗って肺にとび、肺の血管を閉塞してしまうことがある。これは、「エコノミークラス症候群（ロングフライト血栓症）」として一般にも知られており、重症の場合には命を落としてしまうこともある。
【０００３】
この、エコノミークラス症候群の予防のひとつとして、座席に座った姿勢で足のかかとやつま先を上下させたり、足の指を動かすなどの運動や、歩き回ったりして定期的に体を動かすことが推奨されてる。
また。長時間の着席状態においては、身体を支える必要から腰への負担も少なくなく、緊張状態が持続することから肩こりにもなりやすい。このため、腰や肩へのマッサージなども効果的である。
【０００４】
最近では、座席にフットレストが装備されていたり、座席の前方に足を乗せることができる足台が設けられてきてはいるがごく少数であり、依然として何の対応もなされていないことのほうが多い。その様な場合に便利なものとして、乗り物や劇場にに持ち込んで使用できるフットレストが販売されており、空気を注入することで台状に形成されるフットレストや、座席前方のランチテーブルに吊るして使用するフットレストがある。
【０００５】
一方、腰や肩へのマッサージのための道具としては、振動を発生させるバイブレーターや肩たたきなどがあるが、電気が必要で持ち運びには不便であったり、音が発生したりするため、乗り物内や劇場内での使用には適さない。
【０００６】
エコノミークラス症候群の予防に関連する発明・考案としては、太ももの裏側からの静脈の圧迫を除去して下肢部の血液の循環を良好に保つために足を乗せて使用する、足台型機内用バッグがある（特許文献１）。この発明は、通常の機内用バッグに足を乗せることのできる堅い平板とその支持体を設けた構造に特徴がある。
しかし、この発明では、座席に座った姿勢で足のかかとやつま先を上下させたり、足の指を動かすなどの運動をするとバッグ（フットレスト）が動いて足から離れてしまうことがあり、その度にバッグ（フットレスト）の位置を直す必要がある。
【０００７】
フットレストから足が離れないようにする手段として、フットレストに足を固定するための固定具を設けることが考えられる。これに関しては、足固定具を取り付けたフットレストに関する発明（特許文献２）が公知となっている。この発明は、固定の傾斜角をつけたフットレストに足固定具を取り付けた構成のものである。
しかし該文献（特許文献２）に開示されている発明および実施の形態として図面に表されたフットレストによれば、足を載せた後に面ファスナーによって固定しなければならなかったり（図１乃至４）、あるいは足固定具が想定している足のサイズと異なるサイズの足で使用する場合は足の固定が緩くなってしまう（図５乃至７）。また、足固定具が、足を載せる面に出っ張りとして存在しているため、持ち運び時に引っ掛けてしまうなどの問題点がある。
【特許文献１】特開２００２−２６２９２２号公報
【特許文献２】特開２００３−３１２３５２号公報
【発明の開示】
【発明が解決しようとする課題】
【０００８】
解決しようとする課題は、足のサイズにかかわらず足を固定できるとともに出っ張り部分の少ない足固定具を有するフットレストの提供である。また別の課題は、フットレストの位置の移動が容易にできるフットレスト用具の提供である。また別の課題は、フットレストに接続して使用するマッサージ効果を奏する用具の提供である。
【課題を解決するための手段】
【０００９】
請求項１に記載の発明は、フットレストに取付けて使用するベルトであって、該ベルトが、腰への巻着手段を有する腰部ベルトと、該腰部ベルトの腰の両側部位置または腰前部の左右位置に着脱可能に取り付けられた第１の接続ベルトおよび第２の接続ベルトとからなることを特徴とするフットレスト用ベルトである。
このフットレスト用ベルトは、腰部ベルトを腰に巻着し、第１および第２の接続ベルトによってフットレストと接続して使用する。
腰とフットレストとの距離が接続ベルトの長さに限定されるので、フットレストに載せた脚を伸ばして突っ張ることで、フットレストに載せた足とフットレストの足載せ部が強く接する。その状体で腰を左右に動かすることでフットレストを移動させる。
【００１０】
請求項２に記載の発明は、請求項１に記載のフットレスト用ベルトにおいて、腰部ベルトまたは接続ベルトの少なくともいずれか一方のベルトの長さが調節自在に形成されていることを特徴とするフットレスト用ベルトである。
腰部ベルトの長さ調節は、巻着する人の腰の周囲長に合わせるためのものである。また、接続ベルトの長さ調節は、フットレストと腰部ベルトの距離を調節するためのものである。
【００１１】
請求項３に記載の発明は、腰部ベルトの少なくとも一部に小突起物群を設けたことを特徴とする請求項１または請求項２のいずれかに記載のフットレスト用ベルトである。
使用方法は、請求項１に記載の発明と同様であるが、小突起物群が腰に当接するように腰部ベルトを腰に巻着する。フットレストに乗せた脚を伸ばすとと、接続ベルトから腰部ベルトに力が伝わって腰部ベルトが足方向に引っ張られ、腰部ベルトに設けた小突起物群が腰に押し付けられる。なお、小突起物群とは、小さな突起形状物が複数あることを指す。
【００１２】
請求項４に記載の発明は、請求項１ないし請求項３のいずれかに記載のフットレスト用ベルトを取り付けるとともに、足差込のための一文字の切り込み又は孔を設けた柔軟性のある素材からなるシート体を足載せ部に取付けたフットレストである。
シート体は、その周囲をフットレストに密着するとともに、シート体自体に設けた一文字の切り込み又は孔を差込口としてシート体と足載せ部の間に足を差込可能に取り付ける。なお、シート体は、足載せ部の一部又は全体を覆うように取付ける。
【００１３】
請求項５に記載の発明は、フットレストに接続して使用する被服であって、被服の内側に帯体を有し、該帯体は、腰の両側部付近を両端として腰の背部を通して配されるとともに両端に接続部材の取付具を有する腰部帯体と、両肩の周囲に各々配される肩部帯体と、該肩部帯体と前記腰部帯体とを連結する帯体とからなることを特徴とする被服である。
腰部帯体の両端部の接続部材取付具に、他端をフットレストと接続した接続部材の一端を取り付けて使用する。
フットレストに接続した場合、フットレストと被服の帯体が繋がっていることから、フットレストに載せた脚を曲げ伸ばしすることで、フットレストから接続部材へ、さらに接続部材から該被服の帯体に力が伝わり、該被服に配した腰部帯体および肩部帯体が引っ張られたり開放されたりして、腰や肩に加わる圧力が加減される。
【００１４】
請求項６に記載の発明は、他の器具や用具に接続するための接続部材取付具を、相対する位置の２つを一組として二組以上設けたことを特徴とするフットレストである。接続部材取付具が二組以上あるので、他の器具や用具の取り付け位置を変えることができる。
【００１５】
請求項７に記載の発明は、他の器具や用具に接続するための接続部材取付具を、相対する位置の２つを一組として二組以上設けるとともに、足差込のための一文字の切り込み又は孔を設けた柔軟性のある素材からなるシート体を足載せ部に取付けたフットレストである。
シート体は、その周囲をフットレストに密着するとともに、シート体自体に設けた一文字の切り込み又は孔を差込口としてシート体と足載せ部の間に足を差込可能に取り付ける。なお、シート体は、足載せ部の一部又は全体を覆うように取付ける。
【００１６】
請求項８に記載の発明は、他の器具や用具に接続するための接続部材取付具を、相対する位置の２つを一組として二組以上設けたことを特徴とする請求項４に記載のフットレストである。
【発明の効果】
【００１７】
請求項１に記載の発明のフットレスト用ベルトをフットレストに取付けて使用すると、次のような利点がある。
すなわち、フットレストの位置調整時あるいは位置がずれてしまった場合等に、フットレストに載せている脚を伸ばして足を突っ張ることでフットレストを足に押し当て、腰を適宜方向に回転あるいは動かしてフットレストを元の場所あるいは適切な位置に移動することができ、体を屈めてフットレストを動かす必要がなく楽である。
腰部ベルトを腰に巻着できるため、単に腰にベルトを回した場合よりも、強く固定することができ、フットレストの位置を修正する動作をしても腰から腰部ベルトがはずれない。
また、脚を伸ばしてフットレストを前方に押しやると、腰の周りに掛けたベルトに力がかかり、腰へのマッサージ効果が得られるというメリットもある。
【００１８】
請求項２に記載の発明によれば、腰部ベルトの長さが変えられる場合、腰の周囲長に関係なく腰部ベルトを腰に固定できる。また、接続ベルトの長さが変えられる場合、脚の長短にかかわらず、あるいはまた、椅子に座ったときの姿勢の違いがあっても、フットレストと腰部ベルトとの距離を適宜調節でき、楽な姿勢でのフットレストの使用が可能である。
【００１９】
請求項３に記載の発明によれば、ベルトに有する小突起物群によって、腰へのマッサージ効果が得られる。また、この小突起物群があるために、ベルトの腰への当接部分がズレにくい。
【００２０】
請求項４に記載の発明によれば、持ち運び時には、該フットレスト用ベルトをショルダーベルトとして使用できるという利点がある。
加えて、足載せ部とシート体との間に差し込んだ足のほぼ全体をシート体が覆うことになるため、足のサイズに関係なく、足がフットレストに密着固定され、足のかかとやつま先を上下させたり、足の指を動かすなどの運動をしても足からフットレストが離れにくい。また、シート体を足載せ部に取付けた構成であるため作成が容易であり、出っ張りが少なく、持ち運び時にも他の何かに引っ掛けてしまうことがない。また、シート体には柔軟性のある素材を使用するので、足の挿入が容易にできるとともに、足を傷つけることもなく安全である。さらには、シート体が足を覆う構成となるため、保温効果もある。
【００２１】
請求項５に記載の被服をフットレストと接続して使用すると、フットレストの位置調整時あるいは位置がずれてしまった場合等に、フットレストに載せている脚を伸ばして足を突っ張ることでフットレストを足に押し当て、腰を適宜方向に回転あるいは動かしてフットレストを元の場所あるいは適切な位置に移動することができ、体を屈めてフットレストを動かす必要がなく楽である。また、フットレストに載せた足の膝を曲げ伸ばしすることで、被服の帯体を引っ張ったり開放したりして、人体の腰部および肩部等に圧力を加えてマッサージ効果を得ることができる。
【００２２】
請求項６および請求項７および請求項８に記載の発明によれば、接続部材の取付具が複数組あるので、他の器具や用具との接続を別な位置の接続部材取付具に変えることで、接続部材からフットレストにかかる力の位置を調整することができる。これにより、フットレストに載せた足とフットレストとの力のバランスが適切となり、フットレストが不用意に足から滑って動くことを防ぐことができる。
【００２３】
また、請求項７に記載の発明によれば、足載せ部とシート体との間に差し込んだ足のほぼ全体をシート体が覆うことになるため、足のサイズに関係なく、足がフットレストに密着固定され、足のかかとやつま先を上下させたり、足の指を動かすなどの運動をしても足からフットレストが離れにくい。また、シート体を足載せ部に取付けた構成であるため作成が容易であり、出っ張りが少なく、持ち運び時にも他の何かに引っ掛けてしまうことがない。また、シート体には柔軟性のある素材を使用するので、足の挿入が容易にできるとともに、足を傷つけることもなく安全である。さらには、シート体が足を覆う構成となるため、保温効果もある。
【発明を実施するための最良の形態】
【００２４】
以下に、本発明の実施の形態について図を参照して説明するが、本発明の技術的範囲はこの実施形態に限定されるものではない。なお、本実施形態においては、フットレスト本体を、バッグによって構成した。バッグは、特開２００２−２６２９２２に記載のように平板や支持板を設けても良い。
【００２５】
本願発明に係るフットレスト用ベルトを表すのが図１である。
腰部ベルト１０は、一本のベルトの片端に送り環１５を取り付け、他端にはサイドロック型スライドバックル１４の受け側を取付けた。送り環１５には、図示のようにベルトを折り返して通し、この折り返し部分にサイドロック型スライドバックル１４の挿入側を取り付けた。また、腰部ベルト１０を腰に装着した状態における左右側部位置には、Ｄ環１１ａおよび１１ｂをベルトに沿って移動しないように取付けた。
送り環１５をベルトに沿って移動させることで腰部ベルトの長さを調節し、装着する者の腰の周囲に密着する長さとする。
【００２６】
腰部ベルト１０の背中に位置する部分には、ベルトより幅広の腰当て１２を設けても良い。腰当て１２により、腰部へのベルトの当接がソフトとなる。また、ベルトが滑って当接部分がズレてしまうこてとを防止することにも役立つ。
また、腰部ベルト１０の腰にあたる側に突起１３を適宜個数設けても良い。腰当て１２を設けた場合は、腰当て１２に突起１３を適宜個数設けても良い。
小突起１３は、弾力を有する素材、例えばゴムなどを用い、フットレストに載せた脚を伸ばすことで、フットレストに接続された腰部ベルトが体の前方向に引っ張られ、小突起１３が腰部に押し当てられることとなり、マッサージ効果を奏することとなる。
【００２７】
接続ベルト２０は、ベルトの片端に回転型茄子環２２ｂを取り付け、ベルトの途中を折り返し、この折り返し部分を回転型茄子環２２ａに通し、ベルトの他端はベルト上をスライドするように取り付けた送り環２３に取り付ける。送り環２３をベルトに沿って移動することで、接続ベルト２０の長さを変えることができる。
接続ベルト２０は、本願発明にかかる被服３０とフットレストとの接続にも利用する。
【００２８】
フットレスト用ベルトの使用状態を表したのが図２である。
腰に腰部ベルト１０を装着し、Ｄ環１１ａおよび１１ｂに接続ベルト２０の回転型茄子環２２ａを取り付け、さらに回転型茄子環２３ａをフットレストの接続具４０に取り付ける。
接続ベルト２０は、途中を折り返し、フットレストの取り付け具４０に折り返し部分を通しても良い。この場合、接続ベルト２０の両端の回転型茄子環２２は、腰部ベルト１０のＤ環に取り付ける。
【００２９】
請求項４や請求項７に記載のフットレストにおけるシート体を、布２によって構成した場合の説明図が図７ないし図１０である。
広側面に両足を乗せることが可能な大きさのバッグ１の広側面に、方形の布２の周囲の４辺を縫い付けて留め、切り込み３を入れた（図８参照）。切り込み３から布２とバッグ１の側面との間に足を挿入して使用する（図７参照）。出っ張りを無くすために、布２を足載せ部として使用する面一杯に取付けても良い。あるいは図９にあるように布２ａおよび布２ｂを一辺が接するように取付けることも考えられる。また、足の差込口を孔５によって構成した場合を表す図が図１０である。
取り付け方法としては、前述のようにシート体の４辺を縫い付けることのほかに、シート体の周りに面ファスナー（鉤状の突起が一面についた布と、パイル状の面で一組みとなった留め具。）を取り付け、相対する位置に面ファスナーを取り付けた足載せ部に貼り付けることなどが考えられる。
【００３０】
本願発明（請求項５）に係る被服３０を表すのが図３および図４である。図３および図４においては、被服を破線で表示した。また、図４においては、帯体３２を斜線で表した。
幅５センチメートル程度の帯３１からなる腰部帯３２を、被服３０を着服したときに腰の両脇間に背中を通って配されるように被服３０の内側に縫い付ける。腰部帯３２の両端にはＤ環３３を取り付ける。このＤ環３３は、被服３０の適宜位置に切り込み３５を設けて外側に出るようにする。
肩部帯３４は、肩の周囲からわき腹部をとおり腰脇付近で腰部帯３２に縫い付ける。肩部帯３４は、その全体を被服に縫い付けても良いし、一部を被服に縫い付けるとともに、途中に該帯を押さえる布製の小片を取り付けて、被服と該小片の間を通すようにしても良い。
【００３１】
被服３０とフットレストとは、接続ベルト２０を二つ用い、各々の接続ベルト２０において片端の回転型茄子環２２のフックを被服３０のＤ環３３に取り付け、他端の回転型茄子環２２のフックをバッグ１の取り付け具４０に取り付ける。
接続ベルト２０は、途中を折り返し、バッグ１の取付具４０に折り返し部分を通しても良い。この場合、接続ベルト２０の両端の回転型茄子環２２は、被服３０のＤ環３３に取り付ける。
【００３２】
取付具４０を複数設けたフットレストの説明図が、図５および図６である。フットレストの側面に、Ｄ環４１を一端に取付た帯を、Ｄ環４１が足を乗せる台部方向に向けて複数個、位置を変えて取り付けた。図の奥側の側面にも、同様に取付具４０を取り付けた。
図５と図６は、足のサイズや足を乗せる位置が異なる場合の、取付具４０への接続ベルト２０の接続を示した図でもある。取付具４０が複数あるので、接続ベルト２０の取り付け位置を適宜変えることができる。
なお、接続ベルト２０の他端には、既に述べた腰部ベルト１０や被服３０などを接続して使用する。
【図面の簡単な説明】
【００３３】
【図１】腰部ベルトと接続ベルトからなるフットレスト用ベルトを表す説明図である。
【図２】フットレスト用ベルトをフットレストに接続した使用状態を表す説明図である。
【図３】帯体を配した被服を正面から表した説明図である。
【図４】被服における帯体の状態を表した説明図である。
【図５】足のサイズが大きめの場合における接続具への接続ベルトの取付け状態を表す説明図である。
【図６】足のサイズが小さめの場合における接続具への接続ベルトの取付け状態を表す説明図である。
【図７】シート体への足の挿入状態を表す説明図である。
【図８】足の挿し込み用の一文字の切り込みを設けたシート体を取付けたフットレストを表す説明図である。
【図９】シート体の取り付けの別な例を表す説明図である。
【図１０】足の挿し込み用の孔を設けたシート体を取り付けたフットレストを表す説明図である。
【符号の説明】
【００３４】
１    バッグ
２    平面体
３    切り込み
４    足
５    孔
６    接合辺
１０    腰部ベルト
１１ａ  Ｄ環
１１ｂ  Ｄ環
１２    腰当
１３    小突起
１４    サイドロック型スライドバックル
１５    送り環
２０    接続ベルト
２２ａ  回転型茄子環
２２ｂ  回転型茄子環
３０    被服
３１    帯
３２    腰帯体
３３    Ｄ環
３４    肩帯体
４０    取り付け具
４１    Ｄ環
【手続補正３】
【補正対象書類名】図面
【補正対象項目名】全図
【補正方法】変更
【補正の内容】
【図１】
2008154711.tif 000013
【図２】
2008154711.tif 000014
【図３】
2008154711.tif 000015
【図４】
2008154711.tif 000016
【図５】
2008154711.tif 000017
【図６】
2008154711.tif 000018
【図７】
2008154711.tif 000019
【図８】
2008154711.tif 000020
【図９】
2008154711.tif 000021
【図１０】
2008154711.tif 000022
【手続補正４】
【補正対象書類名】要約書
【補正対象項目名】全文
【補正方法】変更
【補正の内容】
【要約】
【要約】
【課題】足のサイズにかかわらず足を固定でき、かつ出っ張りの少ない足固定具を有するフットレストの提供を第１の課題とし、フットレストの位置の調整や移動が容易にできるフットレスト用具の提供を第２の課題とし、フットレストに接続してマッサージ具として使用する用具の提供を第３の課題とする。
【解決手段】一文字の切り込み又は孔を設けた柔軟性を有するシート体を、該シート体と足載せ部との間に足を挿入可能に足載せ部に取り付けた。また、フットレストに接続して使用するベルトを、腰に装着したベルトとフットレストへの取り付けのための接続ベルトによって構成した。さらには、フットレストに取付けて使用する被服において、腰および肩に当たるように配した帯体を有するとともに該帯体が接続ベルトによってフットレストに繋げられる構成とした。
【選択図】図２